(57)【特許請求の範囲】
【請求項１】
下面に吸込口と天面に排気口とを有するフード本体と、前記フード本体の内部に設けた送風機と、箱状で洗浄液を入れることができる給湯トレイと、開口部から給湯トレイを収納できるトレイ収納部と、洗浄液を洗浄ケーシングに供給する給湯ポンプとを設け、給湯トレイの側面に水平方向に開閉する弁付きの接続口を設け、トレイ収納部の側面に給湯ポンプと連通する洗浄液吸込口を横向きに突出させたことを特徴とする洗浄機能付きレンジフード。
【請求項２】
接続口を洗浄液吸込口が嵌る凹部とし、凹部の内面に弁を設けたことを特徴とする請求項１に記載の洗浄機能付きレンジフード。
【請求項３】
給湯トレイの底面の一部を下方に向けて突起状の凸形状部と接続口と連通する管を給湯トレイ内に設け、管のもう一方の先端を給湯トレイ底面に向けたことを特徴とする請求項１または２に記載の洗浄機能付きレンジフード。
【請求項４】
給湯トレイにトレイ収納部の開口部をふさぐ化粧カバーを一体に設けたことを特徴とする請求項１〜３いずれかに記載の洗浄機能付きレンジフード。
【請求項５】
トレイ収納部をフード本体の底面から下方へ突出させたことを特徴とする請求項１〜４いずれかに記載の洗浄機能付きレンジフード。
【発明の詳細な説明】
【技術分野】
【０００１】
本発明は、洗浄液で油捕集部を洗浄する洗浄機能付きレンジフードに関するものである。
【背景技術】
【０００２】
従来、この種のレンジフードは、トレイで洗浄液を給排水するものが知られている（例えば、特許文献１参照）。
【０００３】
また、給湯トレイ等をレンジフードの本体に設置するものが一般的に知られている。
【０００４】
以下、そのレンジフードについて図７を参照しながら説明する。
【０００５】
上面に開口を設けた給湯トレイ１０１と、下面に開口部を設け前記開口部から給湯トレイ１０１を収納できるトレイ収納部１０２と、洗浄液１０３を洗浄ケーシング１０４に供給する給湯ポンプ１０５とを設け、トレイ収納部１０２天面に下向きに突出し、給湯ポンプ１０５と連通した洗浄液吸込口１０６と、下向きに突出した水位検知手段１０７とを設けている。
【先行技術文献】
【特許文献】
【０００６】
【特許文献１】特開２０１４−１７３８２８号公報
【発明の概要】
【発明が解決しようとする課題】
【０００７】
このような従来の洗浄機能付きレンジフードにおいては、給湯トレイはトレイカバーを開いて上方に押し上げた後に後方にスライドさせてトレイ収納部に収納するために装着作業性が悪い、という課題を有していた。
【０００８】
そこで本発明は、上記従来の課題を解決するものであり、給湯トレイをトレイ収納部へ装着させる作業性をよくすることができる洗浄機能付きレンジフードを提供することを目的とする。
【課題を解決するための手段】
【０００９】
そして、この目的を達成するために、本発明は、下面に吸込口と天面に排気口とを有するフード本体と、前記フード本体の内部に設けた送風機と、箱状で洗浄液を入れることができる給湯トレイと、開口部から給湯トレイを収納できるトレイ収納部と、洗浄液を洗浄ケーシングに供給する給湯ポンプとを設け、給湯トレイの側面に水平方向に開閉する弁付きの接続口を設け、トレイ収納部の側面に給湯ポンプと連通する洗浄液吸込口を横向きに突出させたこととしたものであり、これにより所期の目的を達成するものである。
【発明の効果】
【００１０】
本発明によれば、下面に吸込口と天面に排気口とを有するフード本体と、前記フード本体の内部に設けた送風機と、箱状で洗浄液を入れることができる給湯トレイと、開口部から給湯トレイを収納できるトレイ収納部と、洗浄液を洗浄ケーシングに供給する給湯ポンプとを設け、給湯トレイの側面に水平方向に開閉する弁付きの接続口を設け、トレイ収納部の側面に給湯ポンプと連通する洗浄液吸込口を横向きに突出させた、という構成にしたことにより、給湯トレイを水平方向にスライドさせ給湯トレイをトレイ収納部に装着させて接続口に洗浄液吸込口を接続することとなるので、給湯トレイをトレイ収納部へ装着させる作業性をよくすることができる、という効果を得ることができる。
【図面の簡単な説明】
【００１１】
【図１】本発明の実施の形態１の洗浄機能付きレンジフードの構造を示す側面断面図
【図２】同洗浄機能付きレンジフードの正面断面図
【図３】同洗浄機能付きレンジフードのトレイ収納部周辺の構造を示す側面断面図
【図４】同洗浄機能付きレンジフードの給湯トレイの構造を示す側面断面図
【図５】同洗浄機能付きレンジフードの羽根車の構造を示す斜視図
【図６】同洗浄機能付きレンジフードのトレイ収納部を突出させない場合の側面断面    図
【図７】従来の洗浄機能付きレンジフードの構造を示す正面断面図
【発明を実施するための形態】
【００１２】
本発明の請求項１記載の洗浄機能付きレンジフードは、下面に吸込口と天面に排気口とを有するフード本体と、前記フード本体の内部に設けた送風機と、箱状で洗浄液を入れることができる給湯トレイと、開口部から給湯トレイを収納できるトレイ収納部と、洗浄液を洗浄ケーシングに供給する給湯ポンプとを設け、給湯トレイの側面に水平方向に開閉する弁付きの接続口を設け、トレイ収納部の側面に給湯ポンプと連通する洗浄液吸込口を横向きに突出させた、という構成を有する。これにより、給湯トレイを水平方向にスライドさせ給湯トレイをトレイ収納部に装着させて接続口に洗浄液吸込口を接続することとなるので、給湯トレイをトレイ収納部へ装着させる作業性をよくすることができる、という効果を奏する。
【００１３】
また、接続口を洗浄液吸込口が嵌る凹部とし、凹部の内面に弁を設けた、という構成にしてもよい。これにより、凹部の接続口が洗浄液吸込口に嵌り込むこととなるので、トレイ収納部への給湯トレイの位置決めがしやすくするとともに給湯トレイをトレイ収納部へ装着させる作業性をよくすることができる、という効果を奏する。
【００１４】
また、給湯トレイの底面の一部を下方に向けて突起状の凸形状部と接続口と連通する管を給湯トレイ内に設け、管のもう一方の先端を給湯トレイ底面に向けた、という構成にしてもよい。これにより、給湯トレイの底面の凸形状部の洗浄液が管の吸込口に向かって流れることとなるので、給湯トレイ内に洗浄液の残る量を少なくでき、給湯トレイをトレイ収納部へ装着させる作業性をよくすることができる、という効果を奏する。
【００１５】
また、給湯トレイにトレイ収納部の開口部をふさぐ化粧カバーを一体に設けた、という構成にしてもよい。これにより、化粧カバーと一体化した給湯トレイをトレイ収納部へ装着させることとなるので、外観をよくするとともに給湯トレイをトレイ収納部へ装着させる作業性をよくすることができる、という効果を奏する。
【００１６】
また、トレイ収納部をフード本体の底面から下方へ突出させた、という構成にしてもよい。これにより、給湯トレイを底面から下方へ突出させた低い位置へ装着させることとなるので、使用者の手が届きやすくするとともに給湯トレイをトレイ収納部へ装着させる作業性をよくすることができる、という効果を奏する。
【００１７】
以下、本発明の実施の形態について図面を参照しながら説明する。
【００１８】
（実施の形態１）
図１および図２に示すように、調理器具（図示せず）の上方に、調理器具から発生する油煙や周囲に浮遊する埃等を捕集する吸込口１を設けたフード本体２の後方を台所の壁面３にねじで固定させて設置する。フード本体２の天面には屋外とダクト４を介して連通する排気口５を設け、フード本体２の内部には送風機３６として電動機６と、電動機６の回転軸７に取り付けた羽根車８と、羽根車８を包括した洗浄ケーシング９を配設し、この羽根車８を介して吸込口１と排気口５とを結ぶ通風路１０を形成している。
【００１９】
洗浄ケーシング９の下方に当たる位置に、箱状で側面が開口した開口部３７を有したトレイ収納部１１をフード本体２の下面から突出させて設け、トレイ収納部１１の内部には、羽根車８を洗浄するための洗浄液１２を貯水する給湯トレイ１３と、羽根車８の洗浄後の排水を受ける排水トレイ１４が隔壁を介して着脱可能で収納できるようになっている。
【００２０】
トレイ収納部１１の側面は、吸込チューブ１５を介して給湯ポンプ１６に接続され、給湯ポンプ１６から吐出チューブ１７を介して洗浄ケーシング９に接続させている。
【００２１】
図３および図４において、トレイ収納部１１、給湯トレイ１３の構造を詳細に説明する。
【００２２】
トレイ収納部１１の内面には、吸込チューブ１５と連通しているパイプ状の洗浄液吸込口１８を横向きに突出させる。洗浄液吸込口１８には、異物が侵入するのを防止するためのストレーナー１９が装着されている。
【００２３】
給湯トレイ１３の内部底面は、中央が最下端となるよう傾斜がついており、給湯トレイ１３の側面には、トレイ収納部１１に収納した状態で、洗浄液吸込口１８が挿入される円筒状の接続口２０を設ける。洗浄液吸込口１８の外周にはゴム製のＯリング２１が装着されており、接続口２０の円筒内面と密着されるようになっている。また、接続口２０の端部には、弁軸２２に繋がれたゴム製の弁２３が付いており、洗浄液吸込口１８が接続口２０内に挿入されると、ストレーナーが弁軸２２を押し、弁２３が開く。
【００２４】
図４は、接続口２０に洗浄液吸込口１８が挿入されていない状態であるが、弁軸２２に付いているスプリング２４が伸びて、弁２３と接続口２０の端部が密着し、閉じることとなる。
【００２５】
接続口２０と給湯トレイ１３内は管２５を介して連通しており、管２５の一端は給湯トレイ１３の中央の底面に近接するようになっている。
【００２６】
近接するとは、３ｍｍ程度で、管２５から給湯トレイ１３内の液体を吸い込む場合に、吸い込みを阻害せず、かつ、給湯トレイ１３に残る液体の量を少なくできるように設定する。
【００２７】
また、給湯トレイ１３の接続口２０の逆の側面には、フード本体２と同色の化粧カバー２６を一体になるよう取り付け、給湯トレイ１３をトレイ収納部１１に収納した状態で、給湯トレイ１３が隠れるようにする。排水トレイ１４も同様に、化粧カバー２６が付いた構造とする。
【００２８】
排水トレイ１４の天面には中央に排水受口２７が開いている排水トレイフタ２８を取り付けてあり、排水トレイ１４から洗浄液１２がこぼれないようタッパのような密閉性を保っている。
【００２９】
給湯トレイ１３の天面にも同様に、給湯トレイフタ２９を取り付けてあり、洗浄液１２を入れる際は、給湯トレイフタ２９をはずし、洗浄液１２を入れたあとは、給湯トレイフタ２９を閉めて、洗浄液１２がこぼれないようタッパのように密閉する。
【００３０】
洗浄ケーシング９の下端部には排水口３０を設けて、排水口３０には洗浄ケーシング９内の洗浄液１２を貯排する排水弁３１を設け、排水弁３１の下方に排水トレイフタ２８の排水受口２７が位置するように設ける。
【００３１】
図５に示すように、羽根車８は、複数のブレード３２で構成され、羽根車８内部には、リング状の油捕集部３３を、一定距離を離して、複数枚取り付けている。調理で油煙が発生しているときに電動機６を作動させると、羽根車８が回転し、油煙や埃を含んだ空気が吸込口１から吸い込まれ、通風路１０を通って羽根車８内を通過する際、油や埃がリング状の油捕集部３３に衝突して捕集され、それらが除去された空気が洗浄ケーシング９内を通った後、排気口５、ダクト４を通って屋外に排出される。これを繰り返すと、羽根車８のブレード３２、油捕集部３３に油や埃が蓄積されていき、目詰まりを発生させ、排出風量の低下を招くこととなる。
【００３２】
排出風量の低下を防ぐため、ブレード３２、油捕集部３３を洗浄するが、以下に、その洗浄動作を説明する。
【００３３】
まず、トレイ収納部１１から給湯トレイ１３を取り出す。この際に、給湯トレイ１３と一体となった化粧カバー２６を手で持って引っ張ると取り出しやすい。次に、給湯トレイフタ２９を開け、給湯トレイ１３に規定量の洗浄液１２を入れ、給湯トレイフタ２９を閉める。
【００３４】
次に、トレイ収納部１１の側面の開口部３７から洗浄液１２の入った給湯トレイ１３をセットする。給湯トレイ１３をトレイ収納部１１の奥までセットすると、接続口２０が洗浄液吸込口１８と接続されると同時に弁２３が開く。
【００３５】
そして、排水トレイ１４は空の状態でトレイ収納部１１にセットする。
【００３６】
次に、フード本体２の正面の洗浄スイッチ３４を押すと、制御部３５からの動作指示により、排水弁３１を閉じ、給湯ポンプ１６により給湯トレイ１３内の洗浄液１２を汲み上げ、洗浄ケーシング９内に供給され、貯水される。
【００３７】
そして、同時に電動機６を作動させると、羽根車８のブレード３２、油捕集部３３が洗浄液１２に浸漬され、洗浄されることとなる。
【００３８】
そして、一定時間（例えば、１０分程度）の洗浄を行なったあと、排水弁３１を開いて、洗浄液１２を排水トレイ１４に排出する。
【００３９】
以上が洗浄動作である。
【００４０】
このような構成によれば、下面に吸込口１と天面に排気口５とを有するフード本体２と、前記フード本体２の内部に設けた送風機３６と、箱状で洗浄液１２を入れることができる給湯トレイ１３と、開口部３７から給湯トレイ１３を収納できるトレイ収納部１１と、洗浄液１２を洗浄ケーシング９に供給する給湯ポンプ１６とを設け、給湯トレイ１３の側面に水平方向に開閉する弁２３付きの接続口２０を設け、トレイ収納部１１の側面に給湯ポンプ１６と連通する洗浄液吸込口１８を横向きに突出させたことにより、給湯トレイ１３を水平方向にスライドさせ給湯トレイ１３をトレイ収納部１１に装着させて接続口２０に洗浄液吸込口１８を接続することとなり、給湯トレイ１３をトレイ収納部１１へ装着させる作業性をよくすることができる。
【００４１】
そして、接続口２０を洗浄液吸込口１８が嵌る凹部とし、凹部の内面に弁２３を設けた。
【００４２】
これにより、凹部の接続口２０が洗浄液吸込口１８に嵌り込むこととなるので、トレイ収納部１１への給湯トレイ１３の位置決めがしやすくするとともに給湯トレイ１３をトレイ収納部１１へ装着させる作業性をよくすることができる。
【００４３】
そして、給湯トレイ１３の底面の一部（好ましくは中央部）を下方に向けて突起状の凸形状部と接続口２０と連通する管２５を給湯トレイ１３内に設け、管２５のもう一方の先端を給湯トレイ１３底面に向けた。これにより、給湯トレイ１３の底面の凸形状部の洗浄液１２が管２５の吸込口に向かってどんどん流れることとなるので、給湯トレイ１３内に洗浄液１２の残る量を少なくでき、給湯トレイ１３をトレイ収納部１１へ装着させる作業性をよくすることができる。
【００４４】
そして、給湯トレイ１３にトレイ収納部１１の開口部３７をふさぐ化粧カバー２６を一体に設けた。化粧カバー２６を手で持って、トレイ収納部１１から給湯トレイ１３を取り出し際に、化粧カバー２６とトレイ収納部１１の間に指が入る隙間があれば取り出しやすい。これにより、化粧カバー２６と一体化した給湯トレイ１３をトレイ収納部１１へ装着させることとなるので、外観をよくするとともに給湯トレイ１３をトレイ収納部１１への装着および特に取り出しさせる作業性をよくすることができる。
【００４５】
そして、トレイ収納部１１をフード本体２の底面から下方へ突出させた。突出させる高さは、使用者が立ったとき腕の高さにトレイ収納部１１がくることが好ましい。これにより、給湯トレイ１３を底面から下方へ突出させた低い位置へ装着、取り出しさせることとなるので、使用者の手が届きやすくするとともに給湯トレイ１３をトレイ収納部１１への装着および特に取り出しさせる作業性をよくすることができる。
【００４６】
なお、実施の形態１において、レンジフードの外観のデザイン性をよくするために、図６のように、トレイ収納部１１をフード本体２の下方に突出させず、フード本体２の下面とトレイ収納部１１の下面がフラットとなる構成としても良い。
【産業上の利用可能性】
【００４７】
本発明にかかる洗浄機能付きレンジフードは、給湯トレイをトレイ収納部へ装着させる作業性をよくすることができることを可能とするものであるので、高所で水を供給する換気装置等として有用である。
【符号の説明】
【００４８】
１    吸込口
２    フード本体
３    壁面
４    ダクト
５    排気口
６    電動機
７    回転軸
８    羽根車
９    洗浄ケーシング
１０  通風路
１１  トレイ収納部
１２  洗浄液
１３  給湯トレイ
１４  排水トレイ
１５  吸込チューブ
１６  給湯ポンプ
１７  吐出チューブ
１８  洗浄液吸込口
１９  ストレーナー
２０  接続口
２１  Ｏリング
２２  弁軸
２３  弁
２４  スプリング
２５  管
２６  化粧カバー
２７  排水受口
２８  排水トレイフタ
２９  給湯トレイフタ
３０  排水口
３１  排水弁
３２  ブレード
３３  油捕集部
３４  洗浄スイッチ
３５  制御部
３６  送風機
３７  開口部
【図１】
0006596656.tif 000002
【図２】
0006596656.tif 000003
【図３】
0006596656.tif 000004
【図４】
0006596656.tif 000005
【図５】
0006596656.tif 000006
【図６】
0006596656.tif 000007
【図７】
0006596656.tif 000008